(57)【要約】【課題】モジュール化された中継器を効率的に交換することができる波長多重光通信装置を提供する。【解決手段】外部装置からの光信号を中継する第１乃至第４トランスポンダモジュール１１，１２，１３，１４と、光合分波器１０と、収容体１ａとを備える波長多重光通信装置において、各トランスポンダモジュール１１，１２，１３，１４が、外部装置及び光合分波器１０に光ファイバケーブル１ｂを介して接続するための第１乃至第３アダプタ１１ａ，１１ｂ…を備え、光合分波器１０が、外部装置及び各トランスポンダモジュール１１，１２，１３，１４に接続するための第４乃至第６アダプタ１０ａ，１０ｂ…を備え、各アダプタ１１ａ，１１ｂ…が外側で並置されるように、トランスポンダモジュール１１，１２，１３，１４及び光合分波器１０を収容体１ａに収容する構成とする。【選択図】図１
2007235401.tif 000002
【特許請求の範囲】
【請求項１】
外部装置からの光信号を中継する複数の中継器と、該複数の中継器が中継した光信号を合波して、他の外部装置へ出力する光合波器と、前記複数の中継器を取り外し可能に収容する収容体とを備える波長多重光通信装置において、
前記中継器は、
外部装置及び前記光合波器に光伝送体を介して接続するための光接続部を備え、
前記光合波器は、
外部装置及び前記複数の中継器に光伝送体を介して接続するための光接続部を備え、
前記収容体は、
前記中継器及び前記光合波器が備える各光接続部が外側で並置されるように、前記中継器及び前記光合波器を収容している
ことを特徴とする波長多重光通信装置。
【請求項２】
前記収容体は、
前記光合波器を取り外し可能に収容するようにしてある
ことを特徴とする請求項１に記載の波長多重光通信装置。
【請求項３】
前記収容体は、
２つの前記中継器が夫々備える光接続部の間に、前記光合波器が備える光接続部が位置するように前記中継器及び前記光合波器を収容している
ことを特徴とする請求項１又は請求項２に記載の波長多重光通信装置。
【請求項４】
外部装置に接続するための前記光接続部と他の前記光接続部とは異なる色を有している
ことを特徴とする請求項１乃至請求項３のいずれか一つに記載の波長多重光通信装置。
【発明の詳細な説明】
【技術分野】
【０００１】
本発明は、外部装置からの光信号を中継する複数の中継機、及び該複数の中継機を取り外し可能に収容する収容体を備えた波長多重光通信装置に関する。
【背景技術】
【０００２】
ＧＥＰＯＮ−ＷＤＭ（Ｇｉｇａｂｉｔ  Ｅｔｈｅｒｎｅｔ（登録商標）  Ｐａｓｓｉｖｅ  Ｏｐｔｉｃａｌ  Ｎｅｔｗｏｒｋ−Ｗａｖｅｌｅｎｇｔｈ  Ｄｉｖｉｓｉｏｎ  Ｍｕｌｔｉｐｌｅｘｉｎｇ）中継伝送システム、例えばＦＴＴＨ（Ｆｉｂｅｒ  Ｔｏ  Ｔｈｅ
Ｈｏｍｅ）は、複数の宅側光送受信器及び局側光送受信器と、加入者宅側及び局側に夫々設置されており、波長多重方式にて光信号を中継する２台のＷＤＭ中継器とから構成されている。
【０００３】
加入者宅側に設置されたＷＤＭ中継器は、宅側光送受信器から送信された光信号を異なる波長の光信号に変換して中継する複数の中継器、光合分波器及び収容体を備えている。光合分波器は、加入者宅側から中継された波長の異なる複数の光信号を合波して局側に設置されたＷＤＭ中継器へ出力する。また、光合分波器は、局側のＷＤＭ中継器から送信された光信号を分波して各中継機へ出力する。各中継器は、光合分波器から出力された光信号を宅側光送受信器へ中継する。
【０００４】
なお、ＷＤＭ中継伝送システムは、既存のＦＴＴＨ光通信サービスの宅側光送受信器と局側光送受信器との間の伝送距離を数十ｋｍ延長し、過疎地の加入者宅まで、ＦＴＴＨ光通信サービスを提供することを目的として構成されている。
【０００５】
収容体は、モジュール化された複数の中継器を取り外し可能に収容している。収容体に収容された中継器及び光合分波器は、外部装置に光ファイバケーブルを介して接続する外部接続用のアダプタを外側に有しており、中継機と光合分波器とを相互に接続する内部接続用のアダプタを収容体の内側に有している。内部接続用のアダプタ同士は、両端にプラグを有する光ファイバケーブルにて接続されている。
【０００６】
このように構成されたＷＤＭ中継器においては、収容体が中継器を取り外し可能に収容しているため、中継器が故障した場合であっても、アダプタから光ファイバケーブルのプラグを脱離して、中継器を交換することができる。
【特許文献１】特開２００２−３２８２６９号公報
【特許文献２】特開平３−２９７０８１号公報
【発明の開示】
【発明が解決しようとする課題】
【０００７】
しかしながら、従来の波長多重光通信装置においては、中継器を交換する場合、収容体の外側にある外部接続用のアダプタと、内側にある内部接続用のアダプタとの双方を用いて光ファイバケーブルのプラグを脱離及び接続する必要があり、中継器を効率的に交換することができないという問題があった。
なお、プラグイン方式コネクタを採用し、収容体に中継器を挿脱するのみで光接続及び切り離しを可能に構成した場合、中継器の交換は容易になるが、高コストになるという問題が生ずる。
【０００８】
本発明は、斯かる事情に鑑みてなされたものであり、外部装置に光伝送体、例えば光ファイバケーブルを介して接続するための光接続部と、中継器及び光合波器を相互に接続す
るための光接続部とが収容体の外側で並置されるように構成することにより、従来の波長多重光通信装置に比べて中継器を効率的に交換することができ、しかも低コストで構成することができる波長多重光通信装置を提供することを目的とする。
【０００９】
本発明の他の目的は、中継器のみならず、光合波器もモジュールとして取り外し可能に収容体に収容するように構成することにより、従来の波長多重光通信装置に比べ、中継器及び光合波器が備える光接続部の配置自由度が高い波長多重光通信装置を提供することにある。
【００１０】
本発明の他の目的は、２つの中継器の間に光合波器が位置するように、収容体が中継器及び光合波器を収容するように構成することにより、中継器と光合波器とを短い光伝送体で接続することができる波長多重光通信装置を提供することにある。
【００１１】
本発明の他の目的は、外部装置に接続するための光接続部及び他の光接続部が異なる色を有するように構成することにより、波長多重光通信装置の使用者が、各光接続部を識別することができ、中継器をより効率的に交換することができる波長多重光通信装置を提供することにある。
【課題を解決するための手段】
【００１２】
第１発明に係る波長多重光通信装置は、外部装置からの光信号を中継する複数の中継器と、該複数の中継器が中継した光信号を合波して、他の外部装置へ出力する光合波器と、前記複数の中継器を取り外し可能に収容する収容体とを備える波長多重光通信装置において、前記中継器は、外部装置及び前記光合波器に光伝送体を介して接続するための光接続部を備え、前記光合波器は、外部装置及び前記複数の中継器に光伝送体を介して接続するための光接続部を備え、前記収容体は、前記中継器及び前記光合波器が備える各光接続部が外側で並置されるように、前記中継器及び前記光合波器を収容していることを特徴とする。
【００１３】
第１発明にあっては、外部装置及び光合波器に接続するために中継器が備える各光接続部、並びに外部装置及び複数の中継器に接続するために光合波器が備える各光接続部は、収容体に中継器が収容された状態で収容体の外側に並置されている。
従って、収容体の外側に並置されている光接続部に対して光伝送体のプラグを脱離及び接続することで、中継器を交換することができる。
【００１４】
第２発明に係る波長多重光通信装置は、前記収容体が、前記光合波器を取り外し可能に収容するようにしてあることを特徴とする。
【００１５】
第２発明にあっては、収容体は、各中継器及び光合波器をモジュールとして取り外し可能に収容している。
従って、各中継器と、光合波器との位置関係を任意に決定することができ、光合波器が収容体に対して固設されている場合に比べて光合波器が備える光接続部と、中継器が備える光接続部との位置関係の自由度は高い。
例えば、多数の光合波器及び中継器を収容体に収容する場合、光合波器の光接続部を一箇所に集中させることができる。
【００１６】
第３発明に係る波長多重光通信装置は、前記収容体は、２つの前記中継器が夫々備える光接続部の間に、前記光合波器が備える光接続部が位置するように前記中継器及び前記光合波器を収容していることを特徴とする。
【００１７】
第３発明にあっては、２つの中継器が夫々備える光接続部の間に光合波器の光接続部が
位置しているため、並置された光合波器の端に中継器が位置している場合に比べて、光合波器及び中継器を相互に接続する光伝送体の長さを短くすることができる。
【００１８】
第４発明に係る波長多重光通信装置は、外部装置に接続するための前記光接続部と他の前記光接続部とは異なる色を有していることを特徴とする。
【００１９】
第４発明にあっては、外部装置に接続するための光接続部と、他の光接続部、つまり中継器及び光合波器を相互に接続するための光接続部とが異なる色を有しているため、使用者は、外部接続用の光接続部と、内部接続用の光接続部とを識別することができ、従来の波長多重光通信装置に比べて、中継器を効率的に交換することができる。
【発明の効果】
【００２０】
本発明にあっては、収容体の外側に並置されている光接続部を用いて光伝送体のプラグを脱離及び接続することにより、従来の波長多重光通信装置に比べて中継器を効率的に交換することができ、しかも波長多重光通信装置を低コストで構成することができる。
【発明を実施するための最良の形態】
【００２１】
（実施の形態１）
以下、本発明をその実施の形態を示す図面に基づいて詳述する。
図１は、本発明の実施の形態１に係るＷＤＭ中継器１の略示正面図、図２は、ＷＤＭ中継器１を備えたＷＤＭ中継伝送システムの構成を示すブロック図である。
【００２２】
ＧＥＰＯＮ−ＷＤＭ中継伝送システムは、図２に示すように加入者宅側及び局側に夫々設置された複数の宅側光送受信器Ａ１，…，Ａ４及び局側光送受信器Ｂ１，…，Ｂ４と、加入者宅側及び局側に夫々設置されており、波長多重方式にて１心光ファイバケーブルＣで光信号を中継するＷＤＭ中継器１，２とから構成されている。
【００２３】
ＷＤＭ中継器１は、宅側光送受信器Ａ１，…，Ａ４から送信された光信号を合波して局側のＷＤＭ中継器２へ送信し、局側のＷＤＭ中継器２から送信された光信号を分波して宅側光送受信器Ａ１，…，Ａ４へ送信するための第１乃至第４トランスポンダモジュール（中継器）１１，１２，１３，１４及び光合分波器１０を備えている。
なお、第１乃至第４トランスポンダモジュール１１，１２，１３，１４夫々に、１台の宅側光送受信器Ａ１，…，Ａ４が光接続されているが、光分岐器を用いて、各トランスポンダモジュール１１，１２，１３，１４に複数の宅側光送受信器を光接続するように構成しても良い。
【００２４】
宅側光送受信器Ａ１，…，Ａ４は、１心の光ファイバケーブルにて、波長λ０１＝１３１０ｎｍの光信号を送信し、λ１０＝１４９０ｎｍの光信号を受信するように構成されている。
【００２５】
図３は第１トランスポンダモジュール１１の略示斜視図である。
第１トランスポンダモジュール１１は、光トランシーバ１１ｄ，１１ｅが配設された略長方形の回路基板１１ｆを備えている。
光トランシーバ１１ｄは、宅側光送受信器Ａ１から送信された光信号をフォトダイオードにてＯ／Ｅ変換する受信機、及び分布帰還形のレーザダイオード（ＤＦＢ−ＬＤ）を有し、受信機でＯ／Ｅ変換された信号を波長λ１の光信号にＥ／Ｏ変換して送信する送信機を備えている。光トランシーバ１１ｅは、局側光送受信器Ｂ１からＷＤＭ中継器２を介して送信された波長λ２の光信号をＯ／Ｅ変換する受信機、及び該受信機でＯ／Ｅ変換された信号を波長λ１０の光信号にＥ／Ｏ変換する送信機を備えている。
【００２６】
回路基板１１ｆの一辺側には、矩形の前面パネル１１ｇが略垂直に設けられており、他辺側には、電源に接続するための接続端子１１ｉが配設されている。前面パネル１１ｇの略中央部には、宅側光送受信器Ａ１に接続するための第１アダプタ１１ａ、光合分波器１０に接続するための第２アダプタ１１ｂ及び第３アダプタ１１ｃが横方向に並設されている。
第１乃至第３アダプタ１１ａ，１１ｃ，１１ｂは、例えばＳＣ（Ｓｉｎｇｌｅ  Ｃｏｕｐｌｉｎｇ）形の光ファイバコネクタを構成するプラグ−アダプタ−プラグ結合方式の光接続部であり、前面パネル１１ｇの前面側及び裏面側に、光ファイバケーブル（光伝送体）１ｂのプラグが接続されるように構成されている。
【００２７】
第１アダプタ１１ａの光トランシーバ１１ｄ，１１ｅ側には、宅側光送受信器Ａ１から送信された光信号をＯ／Ｅ変換する受信機及び信号を波長λ１０の光信号にＥ／Ｏ変換して送信する送信機が接続されている。また第２アダプタ１１ｂの光トランシーバ１１ｄ，１１ｅ側には、波長λ１の光信号を送信する送信機が、第３アダプタ１１ｃの光トランシーバ１１ｄ，１１ｅ側には、波長λ２の光信号を受信する受信機が夫々接続されている。
【００２８】
また、前面パネル１１ｇの第１乃至第３アダプタ１１ａ，１１ｃ，１１ｂの下側には、第１トランスポンダモジュール１１を収容体１ａから引き出すための略Ｕ字状の把持部１１ｈが設けられている。
更に、前面パネル１１ｇには、第１トランスポンダモジュール１１を収容体１ａに収容固定するためのねじ孔１１ｊ，１１ｊが形成されている。
【００２９】
第２乃至第４トランスポンダモジュール１２，１３，１４は、図１に示すように、第１トランスポンダモジュール１１と同様の構成であり、前面パネルに並設された第１アダプタ１２ａ，１３ａ，１４ａ、第２アダプタ１２ｂ，１３ｂ，１４ｂ、及び第３アダプタ１２ｃ，１３ｃ，１４ｃを備えている。
【００３０】
局側のＷＤＭ中継器２は、図２に示すように、加入者宅側のＷＤＭ中継器１と同様の第１乃至第４トランスポンダモジュール２１，２２，２３，２４、光合分波器２０、図示しない収容体を備えている。
第１乃至第４トランスポンダモジュール２１，２２，２３，２４は、送受信する光信号の波長、即ち光トランシーバの構成のみが加入者宅側の第１乃至第４トランスポンダモジュール１１，１２，１３，１４と異なる。
【００３１】
局側の第１トランスポンダモジュール２１は、加入者宅側のＷＤＭ中継器１から送信された波長λ１の光信号を受信し、受信した光信号を波長λ０１の光信号に変換して局側光送受信器Ｂ１へ送信する。また、局側光送受信器Ｂ１から送信された波長λ１０の光信号を、波長λ２の光信号に変換して、加入者宅側のＷＤＭ中継器１へ送信する。ＷＤＭ中継器１は、波長λ２の光信号を波長λ１０の光信号に変換して、宅側光送受信器Ａ１へ送信する。
同様に、局側の第２トランスポンダモジュール２２，２３，２４は、加入者宅側のＷＤＭ中継器１から送信された波長λ３、λ５，λ７の光信号を受信し、受信した光信号を波長λ０１の光信号に変換して局側光送受信器Ｂ２，Ｂ３，Ｂ４へ送信する。また、局側光送受信器Ｂ２，Ｂ３，Ｂ４から送信された波長λ１０の光信号を、波長λ４，λ６、λ８の光信号に変換して、加入者宅側のＷＤＭ中継器１へ送信する。ＷＤＭ中継器１は、波長λ４、λ６、λ８の光信号を波長λ１０の光信号に変換して、宅側光送受信器Ａ２，Ａ３，Ａ４へ送信する。
【００３２】
光合分波器１０は、図１に示すように、両端にプラグを有する光ファイバケーブル１ｂを介して第２アダプタ１１ｂ，１２ｂ，１３ｂ，１４ｂに接続する第４アダプタ１０ａ，
１０ｂ，１０ｃ，１０ｄ、及び局側のＷＤＭ中継器２に接続する第６アダプタ１０ｉを備えている。
第１乃至第４トランスポンダモジュール１１，１２，１３，１４は、宅側光送受信器Ａ１，Ａ２，Ａ３，Ａ４から送信された光信号を夫々波長λ１，λ３，λ５，λ７の光信号に変換して、第２アダプタ１１ｂ，１２ｂ，１３ｂ，１４ｂから第４アダプタ１０ａ，１０ｂ，１０ｃ，１０ｄへ出力する。光合分波器１０は、第４アダプタ１０ａ，１０ｂ，１０ｃ，１０ｄに夫々入力した波長λ１，λ３，λ５，λ７の光信号を合波し、合波した光信号を第６アダプタ１０ｉから局側のＷＤＭ中継器２へ出力する。
【００３３】
また、光合分波器１０は、両端にプラグを有する光ファイバケーブル１ｂを介して第３アダプタ１１ｃ，１２ｃ，１３ｃ，１４ｃに接続する第５アダプタ１０ｅ，１０ｆ，１０ｇ，１０ｈを備えている。光合分波器１０は、第６アダプタ１０ｉに入力した局側のＷＤＭ中継器２からの光信号を、λ２，λ４、λ６，λ８の光信号に分波し、分波した光信号を夫々第５アダプタ１０ｅ，１０ｆ，１０ｇ，１０ｈから第１乃至第４トランスポンダモジュール１１，１２，１３，１４の第３アダプタ１１ｃ，１２ｃ，１３ｃ，１４ｃへ出力する。
第１乃至第４トランスポンダモジュール１１，１２，１３，１４は、第３アダプタ１１ｃ，１２ｃ，１３ｃ，１４ｃに入力したλ２，λ４、λ６，λ８の光信号を夫々波長λ１０の光信号に変換し、宅側光送受信器Ａ１，Ａ２，Ａ３，Ａ４へ送信する。
【００３４】
ＷＤＭ中継器１は、第１乃至第４トランスポンダモジュール１１，１２，１３，１４を引き出し可能に収容するためのレール及び一面に形成された矩形の開口部を有する略直方体の収容体１ａを備えており、収容体１ａは、光合分波器１０の第４アダプタ１０ａ，１０ｂ，１０ｃ，１０ｄ、第５アダプタ１０ｅ，１０ｆ，１０ｇ，１０ｈ、及び第６アダプタ１０ｉ、並びに第１アダプタ１１ａ，１２ａ，１３ａ，１４ａ、第２アダプタ１１ｂ，１２ｂ，１３ｂ，１４ｂ及び第３アダプタ１１ｃ，１２ｃ，１３ｃ，１４ｃが同一面側に並置されるように、光合分波器１０並びに第１乃至第４トランスポンダモジュール１１，１２，１３，１４を収容している。
【００３５】
そして、図１に示すように、第２アダプタ１１ｂ，１２ｂ，１３ｂ，１４ｂには、４本の光ファイバケーブル１ｂの一端に夫々設けられたプラグが接続され、光ファイバケーブル１ｂの他端に設けられたプラグが第４アダプタ１０ａ，１０ｂ，１０ｃ，１０ｄに夫々接続されている。同様に第３アダプタ１１ｃ，１２ｃ，１３ｃ，１４ｃ及び第５アダプタ１０ｅ，１０ｆ，１０ｇ，１０ｈには、４本の光ファイバケーブル１ｂの両端に夫々設けられたプラグが接続されている。また、第１アダプタ１１ａ，１２ａ，１３ａ，１４ａには、宅側光送受信器Ａ１，・・，Ａ４に接続された光ファイバケーブル１ｂのプラグが接続され、第６アダプタ１０ｉには、ＷＤＭ中継器２側の光ファイバケーブル１ｂのプラグが接続されている。
【００３６】
このように構成されたＷＤＭ中継器１にあっては、収容体１ａの外側に並置されている各アダプタを用いて光ファイバケーブル１ｂのプラグを脱離及び接続することにより、従来のＷＤＭ中継器に比べて第１乃至第４トランスポンダモジュール１１，１２，１３，１４を効率的に交換することができる。
【００３７】
なお、実施の形態１にあっては、トランスポンダモジュールを４台備えるＷＤＭ中継器を説明したが、２，３台、又は５台以上のトランスポンダモジュールを備えるように構成しても良い。
【００３８】
また、並置されたトランスポンダモジュールの端に光合分波器を配しているが、光合分波器及びトランスポンダモジュールの配置方法はこれに限定されない。
【００３９】
更に、ＳＣ形のアダプタを備える光合分波器及びトランスポンダモジュールを説明したが、光ファイバケーブルが備えるプラグを着脱可能な構成であれば、他の光接続部を備えるように構成しても良い。
【００４０】
更にまた、光合分波器及びトランスポンダモジュールを接続する光伝送体として、光ファイバケーブルを説明したが、光合分波器及びトランスポンダモジュール間を接続及び切断できる構成であれば、他の光伝送体、例えば光導波路等を備えても良い。
【００４１】
（実施の形態２）
図４は、実施の形態２におけるＷＤＭ中継器２０１の略示正面図である。実施の形態２に係るＷＤＭ中継器２０１は、光合分波器２１０及び第１乃至第４トランスポンダモジュール２１１，２１２，２１３，２１４の収容位置のみが異なるため、以下では主に上記相違点について説明する。
【００４２】
収容体２０１ａは、光合分波器２１０を前面側の横方向略中央部に収容しており、光合分波器２１０の両側に第１及び第２トランスポンダモジュール２１１，２１２と、第３及び第４トランスポンダモジュール２１３，２１４とを夫々収容している。
つまり、第１及び第２トランスポンダモジュール２１１，２１２は、正面視で光合分波器２１０の左側に配されており、第３及び第４トランスポンダモジュール２１３，２１４は、光合分波器２１０の右側に配されている。
【００４３】
このように構成されたＷＤＭ中継器２０１にあっては、第１乃至第４トランスポンダモジュール２１１，２１２，２１３，２１４と、光合分波器２１０とを、短い光ファイバケーブル２０１ｂで接続することができる。
【００４４】
即ち、第３発明にあっては、並置された光合波器としての光合分波器２１０の端に中継器としての第１乃至第４トランスポンダモジュール２１１，２１２，２１３，２１４が位置している場合に比べ、第１乃至第４トランスポンダモジュール２１１，２１２，２１３，２１４と光合分波器２１０とを短い光伝送体で接続することができる。
【００４５】
実施の形態２に係るＷＤＭ中継器２０１の他の構成、作用及び効果は、実施の形態１に係るＷＤＭ中継器１と同様であるため、対応する箇所には同様の符号を付して詳細な説明を省略する。
【００４６】
（実施の形態３）
図５は、実施の形態３におけるＷＤＭ中継器３０１の略示正面図である。実施の形態３に係るＷＤＭ中継器３０１は、第１乃至第４トランスポンダモジュール３１１，３１２，３１３，３１４及び光合分波器３１０のアダプタの構成のみが異なるため、以下では主に上記相違点について説明する。
【００４７】
第１乃至第４トランスポンダモジュール３１１，３１２，３１３，３１４が備える第１アダプタ３１１ａ，３１２ａ，３１３ａ，３１４ａは、第２アダプタ３１１ｂ，３１２ｂ，３１３ｂ，３１４ｂ及び第３アダプタ３１１ｃ，３１２ｃ，３１３ｃ，３１４ｃと異なる色彩を有している。
【００４８】
例えば、第１アダプタ３１１ａ，３１２ａ，３１３ａ，３１４ａは赤色であり、第２アダプタ３１１ｂ，３１２ｂ，３１３ｂ，３１４ｂ及び第３アダプタ３１１ｃ，３１２ｃ，３１３ｃ，３１４ｃは白色である。
【００４９】
また、光合分波器３１０が備える第６アダプタ３１０ｉは、第４アダプタ３１０ａ，３１０ｂ，３１０ｃ，３１０ｄ及び第５アダプタ３１０ｅ，３１０ｆ，３１０ｇ，３１０ｈと異なる色彩を有している。
【００５０】
例えば第６アダプタ３１０ｉは赤色であり、第４アダプタ３１０ａ，３１０ｂ，３１０ｃ，３１０ｄ及び第５アダプタ３１０ｅ，３１０ｆ，３１０ｇ，３１０ｈは白色である。
【００５１】
このように構成されたＷＤＭ中継器３０１にあっては、外部接続用の第１アダプタ３１１ａ，３１２ａ，３１３ａ，３１４ａ及び第６アダプタ３１０ｉと、内部接続用の他のアダプタとを容易に識別することができるため、第１乃至第４トランスポンダモジュール３１１，３１２，３１３，３１４を効率的に交換することができる。
【００５２】
即ち、第４発明にあっては、使用者が、各光接続部としての各アダプタを識別することができ、中継器としての第１乃至第４トランスポンダモジュール３１１，３１２，３１３，３１４をより効率的に交換することができる。
【００５３】
実施の形態３に係るＷＤＭ中継器３０１の他の構成、作用及び効果は、実施の形態１に係るＷＤＭ中継器１と同様であるため、対応する箇所には同様の符号を付して詳細な説明を省略する。
【００５４】
なお、実施の形態３にあっては、第１アダプタ３１１ａ，３１２ａ，３１３ａ，３１４ａ及び第６アダプタ３１０ｉと、第２アダプタ３１１ｂ，３１２ｂ，３１３ｂ，３１４ｂ、第３アダプタ３１１ｃ，３１２ｃ，３１３ｃ，３１４ｃ、第４アダプタ３１０ａ，３１０ｂ，３１０ｃ，３１０ｄ、及び第５アダプタ３１０ｅ，３１０ｆ，３１０ｇ，３１０ｈとが色分けされているが、色分けの方法はこの限りではない。
具体的には、入出力する光信号の波長毎に異なる色彩を有するように、第２アダプタ３１１ｂ，３１２ｂ，３１３ｂ，３１４ｂ、第３アダプタ３１１ｃ，３１２ｃ，３１３ｃ，３１４ｃ、第４アダプタ３１０ａ，３１０ｂ，３１０ｃ，３１０ｄ、及び第５アダプタ３１０ｅ，３１０ｆ，３１０ｇ，３１０ｈを色分けしても良い。例えば、波長λ１の光信号が入出力する第１トランスポンダモジュール３１１の第２アダプタ３１１ｂ、及び光合分波器３１０が備える一のアダプタ３１０ａを青色に構成し、波長λ２の光信号が入出力する第１トランスポンダモジュール３１１の第３アダプタ３１１ｃ、及び光合分波器３１０が備える一のアダプタ３１０ｅを黄色に構成する。
このように構成することにより、第１乃至第４トランスポンダモジュール３１１，３１２，３１３，３１４を、より効率的に交換することができる。
【００５５】
（実施の形態４）
図６は、実施の形態４におけるＷＤＭ中継器４０１の略示正面図である。実施の形態４に係るＷＤＭ中継器４０１は、第１光合分波器３、第２光合分波器４及びトランスポンダモジュール４１１，４１２…を収容体４０１ａに収容する構成のみが異なるため、以下では主に上記相違点について説明する。
【００５６】
第１及び第２光合分波器３，４及びトランスポンダモジュール４１１，４１２…は、モジュール化されており、収容体４０１ａは、第１及び第２光合分波器３，４及びトランスポンダモジュール４１１，４１２…を取り外し可能に収容している。
【００５７】
例えば、収容体４０１ａは、第１及び第２光合分波器３，４を隣り合うように収容し、その両側にトランスポンダモジュール４１１，４１２…を収容している。
【００５８】
このように構成されたＷＤＭ中継器４０１にあっては、光合分波器が収容体に固設され
ている場合に比べ、トランスポンダモジュール４１１，４１２…及び第１及び第２光合分波器３，４を自由に配置することがでる。
つまり、トランスポンダモジュール４１１，４１２…並びに第１及び第２光合分波器３，４が備えるアダプタを自由に配置することができる。例えば、第１及び第２光合分波器３，４のアダプタが１箇所に集中するように配置することができる。
【００５９】
即ち、第４発明にあっては、光合波器としての第１及び第２光合分波器３，４が収容体４０１ａに固設されている場合に比べ、中継器としてのトランスポンダモジュール４１１，４１２…及び第１及び第２光合分波器３，４が備える光接続部を自由に配置することができる。
【００６０】
実施の形態４に係るＷＤＭ中継器４０１の他の構成、作用及び効果は、実施の形態１に係るＷＤＭ中継器１と同様であるため、対応する箇所には同様の符号を付して詳細な説明を省略する。
【図面の簡単な説明】
【００６１】
【図１】本発明の実施の形態１に係るＷＤＭ中継器の略示正面図である。
【図２】ＷＤＭ中継器を備えたＷＤＭ中継伝送システムの構成を示すブロック図である。
【図３】第１トランスポンダモジュールの略示斜視図である。
【図４】実施の形態２におけるＷＤＭ中継器の略示正面図である。
【図５】実施の形態３におけるＷＤＭ中継器の略示正面図である。
【図６】実施の形態４におけるＷＤＭ中継器の略示正面図である。
【符号の説明】
【００６２】
１，２，２０１，３０１，４０１ＷＤＭ中継器（波長多重光通信装置）
１ａ，２０１ａ，４０１ａ  収容体
１ｂ，２０１ｂ  光ファイバケーブル（光伝送体）
３，４，１０，２１０  光合分波器（光合波器）
１０ａ，１０ｂ，１０ｃ，１０ｄ，３１０ａ，３１０ｂ，３１０ｃ，３１０ｄ  第４アダプタ（光接続部）
１０ｅ，１０ｆ，１０ｇ，１０ｈ，３１０ｅ，３１０ｆ，３１０ｇ，３１０ｈ  第５アダプタ（光接続部）
１０ｉ，３１０ｉ  第６アダプタ（光接続部）
１１，１２，１３，１４，２１１，２１２，２１３，２１４，３１１，３１２，３１３，３１４、４１１，４１２  第１乃至第４トランスポンダモジュール（中継器）
１１ａ，１２ａ，１３ａ，１４ａ，３１１ａ，３１２ａ，３１３ａ，３１４ａ  第１アダプタ（光接続部）
１１ｂ，１２ｂ，１３ｂ，１４ｂ，３１１ｂ，３１２ｂ，３１３ｂ，３１４ｂ  第２アダプタ（光接続部）
１１ｃ，１２ｃ，１３ｃ，１４ｃ，３１１ｃ，３１２ｃ，３１３ｃ，３１４ｃ  第３アダプタ（光接続部）
１１ｄ，１１ｅ  光トランシーバ
１１ｆ  回路基板
１１ｇ  前面パネル
１１ｈ  把持部
１１ｉ  接続端子
【図１】
2007235401.tif 000003
【図２】
2007235401.tif 000004
【図３】
2007235401.tif 000005
【図４】
2007235401.tif 000006
【図５】
2007235401.tif 000007
【図６】
2007235401.tif 000008